【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】  通信ネットワークにおいて、基礎となるシグナリングベアラサービスから独立したシグナリングプロトコルに従ってシグナリングメッセージを生成する方法であって、
遠隔ネットワークノードにメッセージを転送するのに使用される前記基礎となるシグナリングベアラサービスから独立してシグナリングメッセージを生成するステップと、
前記シグナリングメッセージがパラメータであるサービスプリミティブを呼出すステップと、
前記基礎となるシグナリングベアラサービスに適合するように前記サービスプリミティブを適応させるステップと、を備えることを特徴とする方法。
【請求項２】  それぞれが異なったシグナリングベアラサービスに対応した複数のベアラアダプタの１つに前記サービスプリミティブを分配するステップを更に備えることを特徴とする請求項１に記載の方法。
【請求項３】  前記シグナリングベアラサービスがＳＡＡＬ  ＵＮＩベアラサービスであることを特徴とする請求項１に記載の方法。
【請求項４】  前記基礎となるシグナリングベアラサービスに適合するように前記サービスプリミティブを適応させるステップが、
前記遠隔ネットワークノードに関連するアドレスパラメータを前記サービスプリミティブから除去するステップを備えることを特徴とする請求項３に記載の方法。
【請求項５】  前記基礎となるシグナリングベアラサービスに適合するように前記サービスプリミティブを適応させるステップが、
転送要求プリミティブをデータ要求プリミティブにマッピングするステップと、
前記データ要求プリミティブを前記ＳＡＡＬ  ＵＮＩシグナリングベアラサービスに送るステップと、を備えることを特徴とする請求項３に記載の方法。
【請求項６】  停止要求プリミティブを呼出すステップと、
前記停止要求プリミティブを開放要求プリミティブにマッピングするステップと、
前記開放要求プリミティブを前記ＳＡＡＬ  ＵＮＩシングナリングベアラサービスに送るステップと、を更に備えることを特徴とする請求項３に記載の方法。
【請求項７】  開始要求プリミティブを呼出すステップと、
前記開始要求プリミティブを確立要求プリミティブにマッピングするステップと、
前記確立要求プリミティブを前記ＳＡＡＬ  ＵＮＩシングナリングベアラサービスに送るステップと、を更に備えることを特徴とする請求項３に記載の方法。
【請求項８】  前記シグナリングベアラサービスがＭＴＰ３ベアラサービスであることを特徴とする請求項１に記載の方法。
【請求項９】  前記基礎となるシグナリングベアラサービスに適合するように前記サービスプリミティブを適応させるステップが、
前記サービスプリミティブに、前記シングナリングメッセージの発行を受け持つＭＴＰノードに対応する識別コードをパラメータとして挿入するステップを備えることを特徴とする請求項８に記載の方法。
【請求項１０】  前記基礎となるシグナリングベアラサービスに適合するように前記サービスプリミティブを適応させるステップが、
前記サービスプリミティブ内の前記遠隔ネットワークノードに対応するアドレスパラメータを識別するステップと、
前記遠隔ネットワークノードに関するＭＴＰノードの識別コードを確認するために前記アドレスパラメータを使用するステップと、
前記アドレスパラメータを前記識別コードに置き換えるステップと、を備えることを特徴とする請求項８に記載の方法。
【請求項１１】  前記基礎となるシグナリングベアラサービスに適合するように前記サービスプリミティブを適応させるステップが、
前記サービスプリミティブに、前記メッセージが前記遠隔ネットワークノードに転送されるのに使用され得る複数のリンクの１つを識別するリンク選択コードを挿入するステップを備えることを特徴とする請求項８に記載の方法。
【請求項１２】  前記基礎となるシグナリングベアラサービスに適合するように前記サービスプリミティブを適応させるステップが、
前記サービスプリミティブに、前記シグナリングプロトコルがＭＴＰユーザであることを識別するシグナリング情報コードを挿入するステップを備えることを特徴とする請求項８に記載の方法。
【請求項１３】  前記基礎となるシグナリングベアラサービスに適合するように前記サービスプリミティブを適応させるステップが、
ＭＴＰアダプタ転送要求プリミティブをＭＴＰ転送要求プリミティブにマッピングするステップと、
前記ＭＴＰ転送要求プリミティブを前記ＭＴＰ３ベアラサービスに送るステップと、を備えることを特徴とする請求項８に記載の方法。
【請求項１４】  停止要求プリミティブを呼出すステップと、
前記停止要求プリミティブを停止表示プリミティブにマッピングするステップと、
前記停止表示プリミティブを前記メッセージを生成するステップに返送するステップと、を更に備えることを特徴とする請求項８に記載の方法。
【請求項１５】  開始要求プリミティブを呼出すステップと、
前記開始要求プリミティブを開始表示プリミティブにマッピングするステップと、
前記開始表示プリミティブを前記メッセージを生成するステップに返送するステップと、を更に備えることを特徴とする請求項８に記載の方法。
【請求項１６】  通信ネットワークにおいて、基礎となるシグナリングベアラサービスから独立したシグナリングプロトコルに従ってシグナリングメッセージを受信する方法であって、
遠隔ネットワークノードから着信メッセージを転送するのに使用される前記基礎となるシグナリングベアラサービスから独立して、着信サービスプリミティブのパラメータである着信メッセージをローカルネットワークノードで受信するステップと、
着信サービスプリミティブを、前記基礎となるシグナリングベアラサービスと適合するフォーマットから前記シグナリングプロトコルと適合するフォーマットに適応させるステップと、を備えることを特徴とする方法。
【請求項１７】  前記着信サービスプリミティブを、それぞれが異なったシグナリングベアラサービスに対応した複数のベアラアダプタの１つから前記シグナリングプロトコルに分配するステップを更に備えることを特徴とする請求項１６に記載の方法。
【請求項１８】  前記着信サービスプリミティブを、前記基礎となるシグナリングベアラサービスと適合するフォーマットから前記シグナリングプロトコルと適合するフォーマットに適応させるステップシグナリングベアラサービスがＳＡＡＬ  ＵＮＩベアラサービスであることを特徴とする請求項１６に記載の装置。
【請求項１９】  前記着信サービスプリミティブを、前記基礎となるシグナリングベアラサービスと適合するフォーマットから前記シグナリングプロトコルと適合するフォーマットに適応させるステップが、
前記遠隔ネットワークノードに関するアドレスを、前記着信サービスプリミティブにパラメータとして挿入するステップを備えることを特徴とする請求項１８に記載の方法。
【請求項２０】  前記着信サービスプリミティブを、前記基礎となるシグナリングベアラサービスと適合するフォーマットから前記シグナリングプロトコルと適合するフォーマットに適応させるステップが、
データ表示プリミティブを転送表示プリミティブにマッピングするステップと、
前記転送表示プリミティブを前記着信メッセージを受信するステップに送るステップと、を備えることを特徴とする請求項１８に記載の方法。
【請求項２１】  開放表示プリミティブを停止表示プリミティブにマッピングするステップと、
開放確認プリミティブを停止表示プリミティブにマッピングするステップと、
前記停止表示プリミティブを前記着信メッセージを受信するステップに送るステップと、を更に備えることを特徴とする請求項１８に記載の方法。
【請求項２２】  確立表示プリミティブを開始表示プリミティブにマッピングするステップと、
確立確認プリミティブを開始表示プリミティブにマッピングするステップと、
前記開始表示プリミティブを前記着信メッセージを受信するステップに送るステップと、を更に備えることを特徴とする請求項１８に記載の方法。
【請求項２３】  前記シグナリングベアラサービスがＭＴＰ３ベアラサービスであることを特徴とする請求項１６に記載の方法。
【請求項２４】  第２のサービスプリミティブから前記遠隔ネットワークノードに関するＭＴＰノードに対応する識別コードを除去するステップを更に備えることを特徴とする請求項２３に記載の方法。
【請求項２５】  前記遠隔ネットワークノードに対応するアドレスを識別するのに前記識別コードを使用するステップと、
前記遠隔ネットワークノードに対応する前記アドレスを、前記着信サービスプリミティブに前記識別コードパラメータに代えてパラメータとして挿入するステップと、を更に備えることを特徴とする請求項２４に記載の方法。
【請求項２６】  前記第２のサービスプリミティブがポーズ表示プリミティブであることを特徴とする請求項２５に記載の方法。
【請求項２７】  前記第２のサービスプリミティブがレジューム表示プリミティブであることを特徴とする請求項２５に記載の方法。
【請求項２８】  前記第２のサービスプリミティブがステータス表示プリミティブであることを特徴とする請求項２５に記載の方法。
【請求項２９】  前記着信サービスプリミティブを、前記基礎となるシグナリングベアラサービスと適合するフォーマットから前記シグナリングプロトコルと適合するフォーマットに適応させるステップが、
前記着信サービスプリミティブから前記遠隔ネットワークノードに対応する識別コードのパラメータを除去するステップを備えることを特徴とする請求項２３に記載の方法。
【請求項３０】  前記着信サービスプリミティブを、前記基礎となるシグナリングベアラサービスと適合するフォーマットから前記シグナリングプロトコルと適合するフォーマットに適応させるステップが、
前記着信サービスプリミティブから前記ローカルネットワークノードに対応する識別コードのパラメータを除去するステップを備えることを特徴とする請求項２３に記載の方法。
【請求項３１】  前記着信サービスプリミティブを、前記基礎となるシグナリングベアラサービスと適合するフォーマットから前記シグナリングプロトコルと適合するフォーマットに適応させるステップが、
前記着信サービスプリミティブから前記着信メッセージが前記遠隔ネットワークノードから転送されるのに使用されたリンクを識別するリンク選択コードのパラメータを除去するステップを備えることを特徴とする請求項２３に記載の方法。
【請求項３２】  前記着信サービスプリミティブを、前記基礎となるシグナリングベアラサービスと適合するフォーマットから前記シグナリングプロトコルと適合するフォーマットに適応させるステップが、
前記着信サービスプリミティブから前記前記シグナリングプロトコルがＭＴＰユーザであることを識別するシグナリング情報コードのパラメータを除去するステップを備えることを特徴とする請求項２３に記載の方法。
【請求項３３】  通信ネットワークにおいて、基礎となるシグナリングベアラサービスから独立したＡＡＬ２シグナリングプロトコルを用いてシグナリングメッセージを生成する装置であって、
前記メッセージを遠隔ネットワークノードに転送するのに使用される前記基礎となるシグナリングベアラサービスから独立して、メッセージを生成するメッセージ生成手段と、
前記シグナリングメッセージをパラメータとして有するサービスプリミティブを呼出す手段と、
前記サービスプリミティブを、前記ＡＡＬ２プロトコルと適合するフォーマットから前記基礎となるシグナリングベアラサービスと適合するフォーマットに変換するベアラ適応手段と、を備えることを特徴とする装置。
【請求項３４】  前記メッセージ生成手段からの前記シグナリングメッセージを含む前記サービスプリミティブを、それぞれが異なったシグナリングベアラサービスに対応する複数のベアラ適応手段に分配するベアラサービス調整手段を更に備えることを特徴とする請求項３３に記載の装置。
【請求項３５】  前記シグナリングベアラサービスがＳＡＡＬ  ＵＮＩベアラサービスであり、前記ベアラ適応手段がＳＡＡＬ  ＵＮＩアダプタであることを特徴とする請求項３３に記載の装置。
【請求項３６】  前記シグナリングベアラサービスがＭＴＰ３ベアラサービスであり、前記ベアラ適応手段がＭＴＰアダプタであることを特徴とする請求項３３に記載の装置。
【請求項３７】  通信ネットワークにおいて、基礎となるシグナリングベアラサービスから独立したＡＡＬ２シグナリングプロトコルを用いてシグナリングメッセージを受信する装置であって、
遠隔ネットワークノードからローカルネットワークノードに着信サービスプリミティブのパラメータである着信メッセージを転送するのに使用される前記基礎となるシグナリングベアラサービスから独立して、着信メッセージを受信する手段と、
前記着信サービスプリミティブを、前記基礎となるシグナリングベアラサービスと適合するフォーマットから前記ＡＡＬ２プロトコルと適合するフォーマットに調整するベアラ適応手段と、を備えることを特徴とする装置。
【請求項３８】  それぞれが異なったシグナリングベアラサービスに対応する複数のベアラ適応手段の１つからの前記着信サービスプリミティブを、前記着信メッセージ受信手段に分配するベアラサービス調整手段を更に備えることを特徴とする請求項３７に記載の装置。
【請求項３９】  前記シグナリングベアラサービスがＳＡＡＬ  ＵＮＩベアラサービスであり、前記ベアラ適応手段がＳＡＡＬ  ＵＮＩアダプタであることを特徴とする請求項３７に記載の装置。
【請求項４０】  前記シグナリングベアラサービスがＭＴＰ３ベアラサービスであり、前記ベアラ適応手段がＭＴＰアダプタであることを特徴とする請求項３７に記載の装置。